(57)【特許請求の範囲】
【請求項１】
主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を送信する送信装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置したＴＭＣＣを生成する手段を備えたことを特徴とする送信装置。
【請求項２】
主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を送信装置で送信し、受信装置で受信し再生する伝送装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置したＴＭＣＣを生成する手段を送信装置に備え、受信装置は受信した前記ＴＭＣＣより前記ＳＹＮＣパターンを所定フレーム続けて抽出した時に、前記ヘッダ部分を示すＳＹＮＣパターンを有効として出力する手段を備えたことを特徴とする伝送装置。
【請求項３】
主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を受信する受信装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置した信号構成の伝送信号を受信し、受信した前記ＴＭＣＣより前記ＳＹＮＣパターンを所定フレーム続けて抽出した時に、前記ヘッダ部分を示すＳＹＮＣパターンを有効とする手段を備えたことを特徴とする受信装置。
【発明の詳細な説明】
【０００１】
【発明の属する技術分野】
本発明は、主データＤｔと、ヘッダ部分を示すＳＹＮＣパターンと前記主データＤｔの設定情報を示すビットパターンを有するＴＭＣＣとから構成される信号構成および送信装置および伝送装置および受信装置に関する。
【０００２】
【従来の技術】
近年、デジタル伝送の変調方式としてＯＦＤＭ変調が用いられ始めている。ＯＦＤＭ変調は、多数のキャリアを用いた伝送であり、主データの他に補助データを送るＴＭＣＣと呼ばれるキャリアを持つ。
【０００３】
主データとは、映像や音声信号であり、主データをＭＰＥＧ処理で圧縮したトランスポートストリーム（以後ＴＳと呼ぶ）のことである。数年前はアナログＦＭによる方法で映像や音声を伝送していた。アナログＦＭは、受信電界レベルによって映像や音声のＳＮが変化する。電界レベルの変化が激しいマラソン等の移動伝送においては、中継された映像は、ノイズや乱れの多い品位の低い信号となり易かった。ＯＦＤＭ等のデジタル伝送は、情報をデジタル化し、かつ、エラー訂正処理を併用する。そのため、受信電界レベルが変化する状態でも、エラー訂正が働く範囲であれば、同一品位の映像を中継伝送できる。
【０００４】
電界レベルが限界値を下回る状態にまで低下するとエラー訂正不能となり、画像伝送も不可能となる。
この限界値は、伝送するデータ量と相反する関係にある。
伝送量６０Ｍｂｐｓと多い、６４ＱＡＭ、畳み込み訂正５／６モードであれば、限界ＣＮは２２ｄＢ程度であり、受信電界の限界は約−７５ｄＢｍ以上が必要になる。伝送量１２Ｍｂｐｓと小さい、ＱＰＳＫ、畳み込み訂正１／２モードであれば、限界ＣＮは６ｄＢ程度であり、受信電界の限界は約−８９ｄＢｍ以上で映像を伝送できる。なお、伝送レートが低い場合は、ＭＰＥＧ処理にて圧縮率を高める結果、画質が低下する現象も生じる。
【０００５】
映像伝送する環境は、伝送距離や移動もしくは固定であるかによって、様々に変化する。使用ユーザは、伝送する環境に応じて、伝送量を重視したり、伝送限界を重視するかを決心し、設定モードを決定する。
【０００６】
デジタルＦＰＵ（フィールド  ピックアップ  ユニット）は、このような要求に応じるため、例えば、６４ＱＡＭ、３２ＱＡＭ、１６ＱＡＭ、ＱＰＳＫと４種の変調設定を持つ。また、エラー訂正の強さに関連する畳み込み比率も、例えば、なし、５／６、３／４、２／３、１／２等の５種の訂正設定を持つ。
【０００７】
このモードは、送信側と受信側とで、同一に設定する必要がある。
なお、これらの送信側設定は、受信側に送れば、受信側の自動設定も可能となり、復調のモードを逐一設定する操作が不要となる。
この設定を手動でなく自動設定させるための、補助データをＴＭＣＣキャリアと呼ぶキャリアを用いて伝送する。
全てにおいて、基本となるモードに関する情報であるため、伝送耐力の高いＢＰＳＫ変調されて伝送される。
受信側はＴＭＣＣキャリアの復調を行い、主データの設定モードを求め、主データ受信部の設定モードを設定する。この機能を用いれば、送信側の設定を変更すればそれのみで、受信側のモード状態を自動的に変更設定できる。
【０００８】
なお、上記６４ＱＡＭ〜ＱＰＳＫ、エラー訂正等の概要を記載した参照資料としては、映像情報メディア学会誌（Ｖｏｌ.５２  Ｎｏ１１  １９８８）のＰ３２〜３６等がある。
【０００９】
図６に、従来の映像信号の伝送を行う伝送装置の構成を示す。
送信側の送信装置において、映像信号入力は、ＭＰＥＧ−ＥＮＣ７Ｍに入力され圧縮データとなる。この圧縮データが主データとなる。変調モード等の伝送状態情報が補助データとなる。主データであるＤａｔａは、ＳＣＬ器７によりスクランブルされたデータＤｔｓとなる。
【００１０】
ＳＣＬ器７は、Ｄａｔａの２０４Ｗ（ワード）周期に存在するコード４７ｈを４７−ＤＥＴで検出し、１／８器７−２で、４７ｈの８回目を検出し、この位置を基準としたパルスをＰＮ発生器７−４に送ってリセットし、ＳＣＬ用特定のパターンを発生させ、このＳＣＬ用特定のパターンで入力Ｄａｔａを反転するスクランブル処理を行い、Ｂ８ｈ置換器７−５で、１／８器７−２の出力により、８回目の４７ｈをＢ８ｈに置換した出力データＤｔｓを作る。１Ｗは８ビットであるから、１３０５６ビット毎にＢ８ｈが存在することになる。
【００１１】
データＤｔｓは、主データ変調器１に入力され、例えば所定データ毎にマッピングされ伝送データＤｔとなる。
伝送データＤｔを作成する条件である設定データは、主データ変調器１のモード設定端子とＴＭＣＣ発生器２へ入力される。主データ変調器１は、ＴＭＣＣ発生器２からのフレームパルスに応じて変調動作を行う。主データ変調器１で変調された出力ＤｔとＴＭＣＣ発生器２で変調された出力ＴＭＣＣｔは、フレームパルスを基準に動作する統合器３によって合成された後にＯＦＤＭ変調され、１３０ＭＨｚを中心とした帯域約１７ＭＨｚのマルチキャリアからなるＩＦｔ信号となる。
【００１２】
統合器３で生成されたＩＦｔ信号は、送信高周波器１１ｔに送られて、マイクロ波の信号に周波数変換され、そして電力増幅される。アンテナ１２ｔは、該変調波を電波として送信する。
【００１３】
そして空間である伝送路を経由して、受信側の受信装置の受信アンテナ１２ｒに到達した電波は、受信高周波器１１ｒに入力される。そして、受信高周波器１１ｒは、微弱な信号を増幅し、１３０ＭＨｚ帯の中間周波信号ＩＦｒに変換する。このＩＦｒは分離器４に入力される。
【００１４】
このＩＦｒ信号は、分離器４によって、主データの成分Ｄｒと補助データの成分ＴＭＣＣｒとに分離復調される。それぞれの信号は、主データ復調器５とＴＭＣＣ再生器６に入力される。ＴＭＣＣ再生器６は入力データから抽出した情報を基に再生したフレームパルスを主データ復調器５に送る。
分離器４、主データ復調器５は、フレームパルスを基準として復調を行う。
【００１５】
さらに、ＴＭＣＣ再生器６が抽出した各種設定情報は、主データ復調器５のモード設定端子に入力され、Ｄｒｓを作成する条件を決定する。主データ復調器５の出力Ｄｒｓは、逆ＳＣＬ器８に入力される。この逆ＳＣＬ器８は、例えば１３０５６ビット周期に存在するＢ８ｈのコードを８ＴＳ−ＤＥＴ器８−１で検出し、この位置を基準に発生したパルスをリセット付ＰＮ発生器８−４に送り、逆ＳＣＬパターンを発生させる。この逆ＳＣＬパターン信号は逆ＳＣＬ演算器８−３において、Ｄｒｓ信号の反正転を行い、４７ｈ置換器８−５で、送信側と逆のＢ８ｈを４７ｈに置き換え、スクランブル前のＤａｔａを復元する。そして、ＭＰＥＧ−ＤＥＣ８Ｍで伸長して元のデータを復元する。
【００１６】
なお、リセット付ＰＮ発生器７−４、８−４は、リセットが入力されたら発生するＰＮパターンを初期化する。なおリセットが入力されない場合、１３０５６クロック後に自動的に前記初期化を行う。
【００１７】
図７に、図６の主データ変調器１の構成を示す。
設定データは、時間軸変換器１−１、エラー訂正符号付加器１−２、符号化器１−３に入力され、各部の動作モードを決定する。
【００１８】
時間軸変換器１−１は、入力されたＤａｔａ信号に、後段処理において作成されるパリティ情報、追加されるＴＭＣＣ情報、ＣＰ情報（同期用連続パイロット信号）を挿入するための時間スペースを空ける時間軸変換を行う。本動作は、フレーム信号を基準として、クロック発振器１−４からのクロック信号に従い行われる。空き時間スペース確保のため、入力の速度よりも部分的に早い速度で動作する。
【００１９】
エラー訂正符号付加器１−２は、入力されたデータから演算を行いパリティ信号を作成し付加する。
本動作は、フレーム信号を基準として、クロック発振器１−４からのクロック信号に従い行われる。パリティ信号は、前段で空けた時間スペースに付加される。
なお、前段の時間軸変換処理の処理遅延時間分を考慮し、フレーム信号入力後所定時間経過後処理を開始する。以降の処理も前段での処理遅延を考慮の上フレーム信号を基準として動作を開始する。
【００２０】
符号化器１−３は、設定データで指示された変調モードに応じ、入力データビットをまとめ、Ｉ軸とＱ軸にマッピングする。６４ＱＡＭモードであれば、入力された６ビットをひとまとめとし、８×８の６４点の何れかに相当する信号に変換する。この６ビットのまとめ処理も、フレーム信号を基準として行う。
１６ＱＡＭモードが指定されていたら、４ビットを一まとめにして４×４の１６点の何れかに相当する信号に変換する。
クロック発振器１−４は、前述の各処理器に動作用の一定周波数ＣＫを与える。
【００２１】
図８に、フレーム信号とＴＭＣＣ信号ｔ、Ｄｔ信号の例を示す。時刻ｔ００に１６ビット程度のＳＹＮＣ用特定パターンのビットを並べ、その後のｔ０１から設定用データを配置する。
ここで、フレームは、２０４シンボルから構成されるものとして説明する。
次のフレームが開始されるｔ１０には再度ＳＹＮＣ用の特定パターンのビットを並べ、その後のｔ１１からは設定用情報を並べる。以後は設定情報が変わらない限りこの繰り返しとなる。ちなみに、受信側はＳＹＮＣ用の特定コードビットが定期的に現れる性質を利用して探し出し、その後に続く設定情報を取り出す。
【００２２】
図９に、図６のＴＭＣＣ発生器２の構成を示す。
外部からの設定データ信号は、設定情報発生器２−２に入力される。フレーム発生器２−５からのフレーム信号は、ＭＵＸ２−６に入力される。ＭＵＸ２−６には、ＳＹＮＣ発生器２−１、設定情報発生器２−２からの出力が、入力される。
ＭＵＸ２−６は、入力されるフレーム信号に従い、入力されているＳＹＮＣコード、設定情報を順次切り替えて、ＴＭＣＣｔを出力していく。
【００２３】
図１０に、図６の統合器３の構成を示す。
ＳＥＬ／ＣＰ挿入器３−１は、フレーム信号を基準として、入力であるＤｔ信号、もうひとつの入力であるＴＭＣＣｔ信号、自己で発生する基準パイロットであるＣＰ信号とを、フレーム信号を基準タイミングとして選択する。
【００２４】
その動作を図１１に示す。主データ変換器１からのＤｔ信号は、ＴＭＣＣｔ、ＣＰ信号の時間スペースを空けてあるため、その空き期間にＴＭＣＣｔ信号とＣＰ信号を選択し、挿入する。次段のＩＦＦＴ器３−２に入力される信号は、例えば８データ毎にＣＰ信号が挿入され、ＴＭＣＣｔ信号も予め指定した空き時間スペースに割り当てられる。
【００２５】
図１０に戻り、引き続き各部の動作を説明する。
ＩＦＦＴ器３−２は、例えば１０２４ヶのデータを周波数成分とみなして、約５０μｓ時間分の波形を作成することで、マルチキャリア変調を行う。最初に入力されたデータは、最も低いキャリアの変調を決定し、次に入力されたデータは２番目に低い周波数のキャリアの変調を決定する。以後これを１０２４回続ける。この結果、１シンボルと呼ぶ約５０μｓ時間分の波形が作成出力される。
なお、この動作もフレーム信号を基準に開始される。
【００２６】
ガード付加器３−３は、入力信号の１シンボルの終了部分の１／１６シンボル期間相当の波形をシンボル信号の時間空きスペースに配置し、１７／１６シンボル期間の波形を作成する。１シンボルの信号の一部分１／１６期間は、２回出力されることになる。なおこの期間をガードインターバルと呼ぶ。なお、この動作もフレーム信号を基準に開始される。
【００２７】
直交変調器３−４は、入力信号をＤＡ変換によりベースバンドのアナログ信号に変換し、ローカル発振器８３からのローカル周波数相当分に周波数変換する。
【００２８】
図１２に、図６の統合器３の出力である、ＯＦＤＭ変調波の概念図を示す。
全キャリアのイメージを図の上方に示す。
多数の搬送波のマルチキャリアから構成される。
搬送波の内訳は、その大多数が白で示す、データキャリアであり、Ｄａｔａ情報を元に変調されている。符号化が６４ＱＡＭの場合、ある１キャリアは６ビットの情報で決定される。
また網かけで示す、発振器８３の周波数ズレ及び位相振幅のズレを測定するためのＣＰキャリアが、一定間隔毎に挿入される。通常は一定値で変調されている。
さらに斜縞で示す、ＴＭＣＣ情報を送るためのＴＭＣＣキャリアが存在する。これは１ビットの情報がＢＰＳＫで符号化される。
この搬送波は、１シンボル期間毎に次の情報に変更される。
なお、これらの周波数配置は時間によらず一定である。
【００２９】
ここで、ＣＰキャリアは一定振幅かつ位相で変調されているため、その振幅＆位相のズレを所定の一定値に戻す位相振幅の逆補正を全キャリアに対して後述の図１３の補正部４−７でデータキャリアを含め送信時の状態に近い振幅と位相とする。
【００３０】
なお、データキャリアは符号化された６ビットの組み合わせによって、振幅位相ともに変化するため、伝送路の歪み補正に用いることは困難であり、一定情報で変調されているＣＰキャリアが不可欠である。
【００３１】
図１３に、図６の分離器４の構成を示す。
受信高周波部の出力は、直交復調器４−１に入力され、ベースバンド帯域に周波数変換された後、デジタル信号となる。この出力はＦＦＴ器４−２に入力され、周波数成分の信号に変換され、低い周波数の成分から順番に出力される。なお、フレーム信号を基に作成したＦＳＴｒｃパルスと、ＣＫrcを基準に変換が行われる。
【００３２】
同期再生器４−３は、フレーム信号と自己発生しているＦＳＴrcの位相差に基づいて、ＣＫｒｃの周波数を制御する。また、各部へ動作の基準とするＦＳＴｒｃを供給する。
【００３３】
補正器４−７は、入力されたＣＰの位相と振幅から、伝送路で生じた歪みを全帯域の信号に対し補正する。また、直交復調器４−１内の発振器９３の周波数と位相を制御して、歪みを除去する。
なお、これらの動作は、フレーム信号を基に作成したＦＳＴｒｃパルスと、ＣＫrcを基準に行われる。
【００３４】
補正器４−７の出力は、Ｄｒ選択器４−５とＴＭＣＣｒ選択器４−６に入力される。Ｄｒ選択器４−５は、フレーム信号を基に作成したＦＳＴｒｃパルスと、ＣＫrcを基準に、Ｄｒに相当する部分のみをゲートして出力する。
ＴＭＣＣｒ選択器４−６も、フレーム信号を基に作成したＦＳＴｒｃパルスと、ＣＫrcを基準に動作し、ＴＭＣＣｒに相当する部分のみをゲートして出力する。
【００３５】
図１４に、図６の主データ復調器５の構成を示す。
設定データは、復号化器５−１、エラー訂正器５−２、時間軸変換器５−３に入力され、各部の動作モードを決定する。
【００３６】
復号化器５−１は、入力されたデータＤｒのマッピング点を基に、送られたデータ値を識別する。対象とする信号の有無については、フレーム信号を基に作成したＦＳＴｒｃパルスと、ＣＫrcを基準に処理のタイミングが決定される。
【００３７】
エラー訂正器５−２は、識別された信号のパリティ情報を基に、エラー訂正を行う。なお、この変換も、フレーム信号を基に作成したＦＳＴｒｃパルスと、ＣＫrcを基準に行われる。
【００３８】
時間軸変換器５−３は、エラー訂正され間欠的に存在する信号を連続データに変換する。なお、この変換も、フレーム信号を基に作成したＦＳＴｒｃパルスと、ＣＫrcを基準に行われる。
【００３９】
図１５に、ＴＭＣＣｒ信号、Ｄｒ信号を示す。
時刻ｔ００からｔ０１までに１６ビット程度のＳＹＮＣ用特定パターンのビットを並べるため、特定パターンと一致したか否かは、時刻ｔ０１に到達するまでを要す。すなわちＳＹＮＣの存在を示すＳＹＮＣ抽出信号は、ｔ０１前後で生じる。
Ｄｔ（ｎ）データの切れ目は、時刻ｔ００に存在し、時刻ｔ０１では既に過去のものとなっている。従って、ｔ０１に生じたＳＹＮＣ抽出信号をｔ１０の時刻にまで遅延させ、Ｄｔ（ｎ＋１）を開始点として利用する。結局、ＴＭＣＣｒから検出した切れ目は、おおよそ１フレーム期間遅れて次フレームの開始時点を特定するために利用される。従って、ｔ００の寸前の時刻に、伝送状態が正常化しても、結局Ｄｔ（ｎ）のデータは正常に復調できず利用されない。
【００４０】
図１６に、図６のＴＭＣＣ再生器６の構成を示す。
入力されたＴＭＣＣｒは、ＳＹＮＣ検出器６−３、直列・並列変換器６−１に入力される。ＳＹＮＣ検出器６−３の出力は、フレームカウンタ６−４のリセット端子、遅延器６−１４に入力される。フレームカウンタ６−４からは、所定のタイミングで並列化された情報を捕捉するためのラッチ信号が出力される。送信側から送られた設定情報は、ラッチ６−２で捕捉され、出力される。
遅延器６−１４はＳＹＮＣ抽出信号を時間ｔ１０−ｔ０１（おおよそ１フレーム期間）遅延させ、フレーム信号として出力する。
【００４１】
【発明が解決しようとする課題】
主データの変調設定や訂正設定を行うと、時として、関連情報のビット並びがＳＹＮＣパターンと同一パターンとなる場合がある。この場合、受信側のＴＭＣＣ再生器はこの設定情報の一部をＳＹＮＣパターンコードと誤って検出する。このＳＹＮＣと同一パターンの情報を擬似ＳＹＮＣとよぶ。この関連情報のビット並びの一部である擬似ＳＹＮＣは、フレーム周期で繰り返し発生するため、正常なＳＹＮＣパターンコードと区別できず、永遠に誤った検出および捕捉となる。
【００４２】
本発明の目的は、擬似ＳＹＮＣの捕捉を防止することが可能な信号構成および送信装置および伝送装置および受信装置を提供することにある。
【００４３】
【課題を解決するための手段】
本発明は、ヘッダ部分を示すＳＹＮＣパターンと所定の制御情報を示すビットパターンを所定のフレーム周期で繰り返す信号構成のＴＭＣＣにおいて、前記ＳＹＮＣパターンに続く前記所定の制御情報を示すビットパターンに、前記ＳＹＮＣパターンのビット長より短い間隔で、フレーム毎にその極性が反転する所定ビットのフレーム反転信号を挿入、配置したことを特徴とする信号構成である。
【００４４】
本発明は、主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を送信する送信装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置したＴＭＣＣを生成する手段を備えたことを特徴とする送信装置である。
【００４５】
本発明は、主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を送信装置で送信し、受信装置で受信し再生する伝送装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置したＴＭＣＣを生成する手段を送信装置に備え、受信装置は受信した前記ＴＭＣＣより前記ＳＹＮＣパターンを所定フレーム続けて抽出した時に、前記ヘッダ部分を示すＳＹＮＣパターンを有効として出力する手段を備えたことを特徴とする伝送装置である。
【００４６】
本発明は、主データＤｔと、ヘッダ部分を示すＳＹＮＣパターンと前記主データＤｔの設定情報を示すビットパターンを所定のフレーム周期で繰り返す信号構成のＴＭＣＣとを有する伝送信号を受信する受信装置において、前記ＳＹＮＣパターンに続く前記主データＤｔの設定情報を示すビットパターンに、前記ＳＹＮＣパターンのビット長より短い間隔で、フレーム毎にその極性が反転する所定ビットのフレーム反転信号を挿入、配置した信号構成の伝送信号を受信し、受信した前記ＴＭＣＣより前記ＳＹＮＣパターンを所定フレーム続けて抽出した時に、前記ヘッダ部分を示すＳＹＮＣパターンを有効とする手段を備えたことを特徴とする受信装置である。
【００４７】
【発明の実施の形態】
図２に、本発明の伝送装置の実施の形態の全体構成を示す。
図２において、従来の図６と同一個所には同一符号を付けてある。図６のＴＭＣＣ発生器を２ｓとし、ＴＭＣＣ復調器を６ｅとした点が変更点である。
【００４８】
図１は、図２のＴＭＣＣ発生器２ｓが発生するＴＭＣＣｔを、フレームと主データＤｔとの対比で示してある。１フレームが、ヘッダ部分を示すＳＹＮＣパターンに続き、主データＤｔの設定情報を示すビットパターンの設定前半１／２情報、フレーム反転信号、設定後半２／２情報、フレーム反転信号、固定値ａの配列で構成されている。ここで、設定前半１／２情報、設定後半２／２情報および固定値ａのビット長は、それぞれＳＹＮＣパターンを構成するコードのビット長より少なくする。また、１フレーム内の二つの個所にフレーム正信号を、次の１フレーム内の二つの個所にフレーム負信号を配置する。すなわち、フレームごとに極性が反転するフレーム反転信号を設定情報内に挿入し配置する。これらのフレーム反転信号は、１ビット以上のデータで構成されるものとする。
【００４９】
このように、１フレーム内のＳＹＮＣパターン以外の部分は、それぞれがＳＹＮＣパターンのビット長より少なくなるよう分割され、その間にそれぞれフレーム反転信号が挿入、配置される。図１では、ＳＹＮＣパターン以外の部分を３分割し、その間に２つのフレーム反転信号を配置した例を示す。
【００５０】
図３は、図２のＴＭＣＣ発生器２ｓの構成を示す。
外部からの設定データ信号は、設定前半１／２情報発生器２−２と設定後半２／２情報発生器２−４に入力される。フレーム発生器２―５からのフレーム信号は、ＭＵＸ２ｓ−６に入力される。ＭＵＸ２−６ｓには、１フレーム毎に、ＳＹＮＣ発生器２−１、設定前半１／２情報発生器２−２、フレーム反転信号発生器２ｓ−３、設定後半２／２情報発生器２−４からの出力が、入力される。
【００５１】
フレーム反転信号発生器２ｓ−３は、図４のように、１フレーム毎に正と負を交互に出力するフレーム反転信号を発生する。ＭＵＸ２ｓ−６は、ｔ０２からｔ０３、ｔ０４からｔ０５にかけて、上記フレーム反転信号を選択し、出力する。
【００５２】
設定情報を変更した場合、設定情報如何では、フレーム反転信号が正または負のどちらかの場合、ＳＹＮＣパターンコードと一致する可能性がある。ただし、ｔ００からｔ１０のフレーム期間でＳＹＮＣパターンコードと一致しても、ｔ１０からｔ２０の次のフレーム期間においては不一致となる。したがって２フレーム連続でＳＹＮＣパターンコードが発見された時に、ＳＹＮＣパターンコードの一致検出と規定しておけば、擬似ＳＹＮＣを捕足し続ける現象を防止することができる。
【００５３】
図５は、図２のＴＭＣＣ再生器６ｓの構成を示す。
入力信号されたＴＭＣＣｒはＳＹＮＣ検出器６−３、直列・並列変換機６−１に入力される。ＳＹＮＣ検出器６−３の出力は１フレーム遅延器６−５ｓに入力され、１フレーム遅延器６−５ｓの出力とＳＹＮＣ検出器６−３の出力とがアンドゲート６−６ｓに入力され、アンドゲート６−６ｓの出力がフレームカウンタ６−４ｓに入力される。したがって２フレーム連続でＳＹＮＣパターンコードが発見された時に、アンドゲート６−６ｓは一致検出の出力をだす。
【００５４】
【発明の効果】
本発明によれば、擬似ＳＹＮＣの捕捉を防止することが可能な信号構成および送信装置および伝送装置および受信装置を得ることができる。
【図面の簡単な説明】
【図１】本発明の信号構成の実施の形態を示す図である。
【図２】本発明の伝送装置の実施の形態の全体構成を示す図である。
【図３】図２のＴＭＣＣ発生器の構成を示す図である。
【図４】図３の動作を示す図である。
【図５】図２のＴＭＣＣ再生器の構成を示す図である。
【図６】従来の映像信号の伝送を行う伝送装置の構成を示す図である。
【図７】図６の主データ変調器の構成を示す図である。
【図８】フレーム信号とＴＭＣＣｔ信号、Ｄｔ信号の例を示す図である。
【図９】図６のＴＭＣＣ発生器の構成を示す図である。
【図１０】図６の統合器の構成を示す図である。
【図１１】図１０等の動作を示すデータ図である。
【図１２】図６の統合器の出力である、ＯＦＤＭ変調波の概念図を示す図である。
【図１３】図６の分離器の構成を示す図である。
【図１４】図６の主データ復調器の構成を示す図である。
【図１５】ＴＭＣＣｒ信号、Ｄｒ信号を示す図である。
【図１６】図６のＴＭＣＣ再生器６の構成を示す図である。
【符号の説明】
１：主データ変調器、２：ＴＭＣＣ発生器、３：統合器、４：分離器、５：主データ復調器、６：ＴＭＣＣ再生器、７：ＳＣＬ器、７Ｍ：ＭＰＥＧ−２エンコーダ、８：逆ＳＣＬ器、８Ｍ：ＭＰＥＧ−２デコーダ、１１ｔ：送信高周波器、１２ｔ：送信アンテナ、１１ｒ：受信高周波器、１２ｒ：受信アンテナ、１−１：時間軸変換器、１−２：エラー訂正符号付加器、１−３：符号化器、１−４：ＣＫ発振器、２−１：ＳＹＮＣ発生器、２−２：設定前半１／２情報発生器、２−３：フレーム反転発生器、２−４：設定後半２／２情報発生器、２−５：フレーム発生器、２−６：ＭＵＸ、３−１：ＳＥＬ／ＣＰ挿入器、３−２：ＩＦＦＴ器、３−３：ガード付加器、３−４：直交変調処理器、４−１：直交復調器、４−２：ＦＦＴ器、４−３：同期再生器、４−４：電圧制御ＣＫｒ発生器、４−５：Ｄｒ選択器、４−６：ＴＭＣＣｒ選択器、４−７：補正器、５−１：復号化器、５−２：エラー訂正器、５−３：時間軸変換器、６−１：ＳＰ変換器、６−２：ラッチ、６−３：ＳＹＮＣ検出器、６−４：フレームカウンタ、６−５：フレーム遅延器、６−６：アンドゲート、６−１４：遅延器、７−１：４７ｈ検出器、７−２：８分周器、７−３：ＳＣＬ演算器、７−４：リセット付ＰＮ発生器、７−５：Ｂ８ｈ置換器、８−１：Ｂ８ｈ検出器、８−３：逆ＳＣＬ演算器、８−４：リセット付ＰＮ発生器、８−５：４７ｈ置換器。
【図１】
0004519371.tif 000002
【図２】
0004519371.tif 000003
【図３】
0004519371.tif 000004
【図４】
0004519371.tif 000005
【図５】
0004519371.tif 000006
【図６】
0004519371.tif 000007
【図７】
0004519371.tif 000008
【図８】
0004519371.tif 000009
【図９】
0004519371.tif 000010
【図１０】
0004519371.tif 000011
【図１１】
0004519371.tif 000012
【図１２】
0004519371.tif 000013
【図１３】
0004519371.tif 000014
【図１４】
0004519371.tif 000015
【図１５】
0004519371.tif 000016
【図１６】
0004519371.tif 000017